(57)【特許請求の範囲】
【請求項１】
ハウジングであって、
下部と、
上部と、
対向する側壁の第１のペアであって、前記第１のペアの各々の前記側壁は前記第１のペアの他方の側壁とほぼ同じ長さを有する、対向する側壁の第１のペアと、
対向する側壁の第２のペアであって、前記第２のペアの各々の前記側壁は前記第２のペアの他方の側壁とほぼ同じ長さを有する、対向する側壁の第２のペアと、
前記側壁の第２のペアのうちの一方の側壁内の少なくとも１つの第１の支持ワイヤ開口部及び前記側壁の第２のペアのうちの他方の側壁内の少なくとも１つの第２の支持ワイヤ開口部であって、前記少なくとも１つの第１の支持ワイヤ開口部は、前記少なくとも１つの第２の支持ワイヤ開口部と位置合わせされた、第１及び第２の支持ワイヤ開口部と、を備える、ハウジングと、
前記ハウジング内部に配設された少なくとも１つの支持ワイヤ・ファスナであって、前記少なくとも１つの第１の支持ワイヤ開口部及び前記少なくとも１つの第２の支持ワイヤ開口部と位置合わせされた、支持ワイヤ・ファスナと、
前記ハウジング内部に配設された上面を有する印刷回路基板と、
前記印刷回路基板の上面に動作可能に接続された複数の発光素子であって、前記ハウジング上部は前記複数の発光素子の各々と位置合わせされたホールを有する、複数の発光素子と、
前記側部の第１のペアのうちの１つの側部から外側に延在する少なくとも１つのコネクタと、
前記側部の第１のペアのうちの他方の側部から外側に延在する少なくとも１つの逆コネクタと、を備え、
前記少なくとも１つのコネクタ及び前記少なくとも１つの逆コネクタは、前記対向する側部の第２のペアから同じ距離を置いて配置される、
モジュラ発光ディスプレイ。
【請求項２】
前記ハウジングは、ほぼ正方形又は長方形の断面を有する、請求項１に記載のモジュラ発光ディスプレイ。
【請求項３】
前記ハウジングは、ほぼ正方形の断面を有する、請求項１に記載のモジュラ発光ディスプレイ。
【請求項４】
前記ハウジングは、カバーを有するシェルを備える、請求項１に記載のモジュラ発光ディスプレイ。
【請求項５】
前記カバーは、取り外し可能である、請求項４に記載のモジュラ発光ディスプレイ。
【請求項６】
各コネクタは、ボール・コネクタであり、
各逆コネクタは、ソケット・コネクタである、請求項１に記載のモジュラ発光ディスプレイ。
【請求項７】
前記印刷回路基板は、前記ハウジング内に配設された印刷回路基板ベース上に載置される、請求項１に記載のモジュラ発光ディスプレイ。
【請求項８】
前記複数の発光素子の少なくとも１つは、ＬＥＤ、ＬＣＤ、又はＯＬＥＤである、請求項１に記載のモジュラ発光ディスプレイ。
【請求項９】
前記複数の発光素子の少なくとも１つは、ＬＥＤである、請求項１に記載のモジュラ発光ディスプレイ。
【請求項１０】
前記対向する側壁の第２のペアのうちの１つの側壁から、前記側壁の第２のペアのうちの前記対向する側壁へと延在する、少なくとも１つの支持ワイヤ・チャネルを更に備え、
前記少なくとも１つの支持ワイヤ・チャネルは、第１の端部及び第２の端部を有し、前記第１の端部は前記少なくとも１つの第１の支持ワイヤ開口部で終端し、前記第２の端部は前記少なくとも１つの第２の支持ワイヤ開口部で終端し、前記少なくとも１つの支持ワイヤ・ファスナは、前記少なくとも１つの支持ワイヤ・チャネル内に配設される、請求項１に記載のモジュラ発光ディスプレイ。
【請求項１１】
前記対向する側壁の第２のペアのうちの１つの側壁から前記側壁の第２のペアのうちの前記対向する側壁へと延在する、少なくとも１つのケーブル・チャネルを更に備え、
前記少なくとも１つのケーブル・チャネルは、第１の端部及び第２の端部を有し、前記第１の端部は第１のケーブル開口部で終端し、前記第２の端部は第２のケーブル開口部で終端する、請求項１に記載のモジュラ発光ディスプレイ。
【請求項１２】
前記支持ワイヤ・ファスナは、支持ワイヤ・クランプである、請求項１に記載のモジュラ発光ディスプレイ。
【請求項１３】
前記少なくとも１つの支持ワイヤ・チャネル内に配設された前記少なくとも１つの支持ワイヤ・ファスナは、
前記少なくとも１つの支持ワイヤ・チャネルの前記第１及び第２の端部の各々に配設された支持ワイヤ・クランプを含む、請求項１０に記載のモジュラ発光ディスプレイ。
【請求項１４】
ハウジングであって、
下部と、
上部と、
対向する側壁の第１のペアであって、前記第１のペアの各々の前記側壁は前記第１のペアの他方の側壁とほぼ同じ長さを有する、対向する側壁の第１のペアと、
対向する側壁の第２のペアであって、前記第２のペアの各々の前記側壁は前記第２のペアの他方の側壁とほぼ同じ長さを有する、対向する側壁の第２のペアと、
第１及び第２の支持ワイヤ開口部の複数のペアであって、前記第１の支持ワイヤ開口部は前記側壁の第２のペアの一方の側壁内にあり、前記第２の支持ワイヤ開口部は前記側壁の第２のペアの他方の側壁内にあり、各ペアの前記第１の支持ワイヤ開口部は各ペアの前記第２のワイヤ支持開口部と位置合わせされた、第１及び第２の支持ワイヤ開口部の複数のペアと、を備える、ハウジングと、
前記ハウジング内部に配設された複数の支持ワイヤ・ファスナであって、各支持ワイヤ・ファスナは支持ワイヤ開口部のペアと位置合わせされた、複数の支持ワイヤ・ファスナと、
前記ハウジング内部に配設された上面を有する印刷回路基板と、
前記印刷回路基板の上面に動作可能に接続された複数の発光素子であって、前記ハウジング上部は前記複数の発光素子の各々と位置合わせされたホールを有する、複数の発光素子と、
前記側部の第１のペアのうちの１つの側部から外側に延在する複数のコネクタであって、前記１つの側部に沿って互いに間隔を置いて配置された複数のコネクタと、
前記側部の第１のペアのうちの他方の側部から外側に延在する同じ数の逆コネクタであって、各コネクタは対応する逆コネクタを有し、各コネクタ及び対応する逆コネクタは対向する側部の第２のペアから等しい距離を置いて配置される、同じ数の逆コネクタと、を備える、
モジュラ発光ディスプレイ。
【請求項１５】
前記ハウジングは、ほぼ正方形又は長方形の断面を有する、請求項１４に記載のモジュラ発光ディスプレイ。
【請求項１６】
前記ハウジングは、ほぼ正方形の断面を有する、請求項１４に記載のモジュラ発光ディスプレイ。
【請求項１７】
前記ハウジングは、カバーを有するシェルを備える、請求項１４に記載のモジュラ発光ディスプレイ。
【請求項１８】
前記カバーは、取り外し可能である、請求項１７に記載のモジュラ発光ディスプレイ。
【請求項１９】
各コネクタは、ボール・コネクタであり、
各逆コネクタは、ソケット・コネクタである、請求項１４に記載のモジュラ発光ディスプレイ。
【請求項２０】
前記印刷回路基板は、前記ハウジング内に配設された印刷回路基板ベース上に載置される、請求項１４に記載のモジュラ発光ディスプレイ。
【請求項２１】
少なくとも１つの発光素子は、ＬＥＤ、ＬＣＤ、又はＯＬＥＤである、請求項１４に記載のモジュラ発光ディスプレイ。
【請求項２２】
少なくとも１つの発光素子は、ＬＥＤである、請求項１４に記載のモジュラ発光ディスプレイ。
【請求項２３】
複数の支持ワイヤ・チャネルを更に備え、
各支持ワイヤ・チャネルは、支持開口部のペアのうちの第１の支持ワイヤ開口部のうちの１つから、前記支持ワイヤ開口部のペアのうちの第２の支持ワイヤ開口部へと延在し、前記支持ワイヤ・ファスナのうちの少なくとも１つは各支持ワイヤ・チャネル内に配設される、請求項１４に記載のモジュラ発光ディスプレイ。
【請求項２４】
前記対向する側壁の第２のペアのうちの１つの側壁から前記側壁の第２のペアのうちの前記対向する側壁へと延在する、少なくとも１つのケーブル・チャネルを更に備え、
前記少なくとも１つのケーブル・チャネルは、第１の端部及び第２の端部を有し、前記第１の端部は第１のケーブル開口部で終端し、前記第２の端部は第２のケーブル開口部で終端する、請求項１４に記載のモジュラ発光ディスプレイ。
【請求項２５】
前記支持ワイヤ・ファスナの少なくとも１つは、支持ワイヤ・クランプである、請求項１４に記載のモジュラ発光ディスプレイ。
【請求項２６】
各支持ワイヤ・チャネル内に配設された前記少なくとも１つの支持ワイヤ・ファスナは
前記少なくとも１つの支持ワイヤ・チャネルの前記第１及び第２の端部の各々に配設された支持ワイヤ・クランプを更に備える、請求項２３に記載のモジュラ発光ディスプレイ。
【請求項２７】
ハウジングであって、
下部と、
上部と、
対向する側壁の第１のペアであって、前記第１のペアの各々の前記側壁は前記第１のペアの他方の側壁とほぼ同じ長さを有する、対向する側壁の第１のペアと、
対向する側壁の第２のペアであって、前記第２のペアの各々の前記側壁は前記第２のペアの他方の側壁とほぼ同じ長さを有する、対向する側壁の第２のペアと、
を備える、ハウジングと、
前記ハウジング内部に配設された上面を有する印刷回路基板と、
前記印刷回路基板の上面に動作可能に接続された複数の発光素子であって、前記ハウジング上部は前記複数の発光素子の各々と位置合わせされたホールを有する、複数の発光素子と、
前記側部の第１のペアのうちの１つの側部から外側に延在する複数のボール・コネクタであって、前記１つの側部に沿って互いに間隔を置いて配置された複数のボール・コネクタと、
前記側部の第１のペアのうちの他方の側部から外側に延在する同じ数の逆ソケット・コネクタであって、各ボール・コネクタは対応する逆ソケット・コネクタを有し、各コネクタ及び対応する逆コネクタは対向する側部の第２のペアから等しい距離を置いて配置される、同じ数の逆ソケット・コネクタと、を備える、
モジュラ発光ディスプレイ。
【請求項２８】
前記ハウジングは、ほぼ正方形又は長方形の断面を有する、請求項２７に記載のモジュラ発光ディスプレイ。
【請求項２９】
前記ハウジングは、ほぼ正方形の断面を有する、請求項２７に記載のモジュラ発光ディスプレイ。
【請求項３０】
前記ハウジングは、カバーを有するシェルを備える、請求項２７に記載のモジュラ発光ディスプレイ。
【請求項３１】
前記カバーは、取り外し可能である、請求項３０に記載のモジュラ発光ディスプレイ。
【請求項３２】
前記印刷回路基板は、前記ハウジング内に配設された印刷回路基板ベース上に載置される、請求項２７に記載のモジュラ発光ディスプレイ。
【請求項３３】
前記複数の発光素子の少なくとも１つは、ＬＥＤ、ＬＣＤ、又はＯＬＥＤである、請求項２７に記載のモジュラ発光ディスプレイ。
【請求項３４】
前記複数の発光素子の少なくとも１つは、ＬＥＤである、請求項２７に記載のモジュラ発光ディスプレイ。
【請求項３５】
少なくとも２つの隣接する発光ディスプレイを備えるモジュラ発光ディスプレイのアレイであって、
各発光ディスプレイは、
ハウジングであって、
下部と、
上部と、
対向する側壁の第１のペアであって、前記第１のペアの各々の前記側壁は前記第１のペアの他方の側壁とほぼ同じ長さを有する、対向する側壁の第１のペアと、
対向する側壁の第２のペアであって、前記第２のペアの各々の前記側壁は前記第２のペアの他方の側壁とほぼ同じ長さを有する、対向する側壁の第２のペアと、
前記側壁の第２のペアのうちの一方の側壁内の少なくとも１つの第１の支持ワイヤ開口部及び前記側壁の第２のペアのうちの他方の側壁内の少なくとも１つの第２の支持ワイヤ開口部であって、前記少なくとも１つの第１の支持ワイヤ開口部は、前記少なくとも１つの第２の支持ワイヤ開口部と位置合わせされた、第１及び第２の支持ワイヤ開口部と、を有するハウジングを備え、
前記アレイは、
各発光ディスプレイ内の前記少なくとも１本の第１の支持ワイヤ開口部及び前記少なくとも１本の第２の支持ワイヤ開口部を介して延在する少なくとも１本の支持ワイヤであって、前記隣接する発光ディスプレイを固定する少なくとも１本の支持ワイヤを備える、モジュラ発光ディスプレイのアレイ。
【請求項３６】
前記発光ディスプレイは、折り畳まれた位置と開いた位置との間で移動可能である、請求項３５に記載のアレイ。
【請求項３７】
前記ハウジング内部に配設された少なくとも１つの支持ワイヤ・ファスナを更に備える、請求項３５に記載のアレイ。
【請求項３８】
前記支持ワイヤ・ファスナは、支持ワイヤ・クランプである、請求項３７に記載のアレイ。
【請求項３９】
複数の支持ワイヤ・チャネルを更に備え、
各支持ワイヤ・チャネルは、前記支持ワイヤ開口部のペアのうちの第１の支持ワイヤ開口部のうちの１つから、前記支持ワイヤ開口部のペアのうちの第２の支持ワイヤ開口部へと延在し、前記少なくとも１つの支持ワイヤ・ファスナのうちの少なくとも１つは各支持ワイヤ・チャネル内に配設される、請求項３７に記載のアレイ。
【請求項４０】
前記少なくとも１つの支持ワイヤ・チャネル内に配設された少なくとも１つの支持ワイヤ・ファスナを備える、請求項９に記載のモジュラ発光ディスプレイ。
【請求項４１】
前記少なくとも１つの支持ワイヤ・ファスナは、支持ワイヤ・クランプである、請求項３９に記載のアレイ。
【請求項４２】
各支持ワイヤ開口部に隣接する各支持ワイヤ・チャネルの端部に配設された支持ワイヤ・クランプを備える、請求項９に記載のモジュラ発光ディスプレイ。
【請求項４３】
前記側壁の第１のペアのうちの１つの側壁から外側に延在する複数のコネクタであって、前記１つの側壁に沿って互いに間隔を置いて配置された複数のコネクタと、
前記側壁の第１のペアのうちの他方の側壁から外側に延在する同じ数の逆コネクタであって、各コネクタは対応する逆コネクタを有し、各コネクタ及び対応する逆コネクタは対向する側壁の前記第２のペアから等しい距離を置いて配置される、同じ数の逆コネクタと、
を更に備える、請求項３５に記載のアレイ。
【請求項４４】
前記ハウジングは、ほぼ正方形又は長方形の断面を有する、請求項３５に記載のアレイ。
【請求項４５】
前記ハウジングは、ほぼ正方形の断面を有する、請求項３５に記載のアレイ。
【請求項４６】
前記ハウジングは、カバーを有するシェルを備える、請求項３５に記載のアレイ。
【請求項４７】
前記カバーは、取り外し可能である、請求項４６に記載のアレイ。
【請求項４８】
各コネクタは、ボール・コネクタであり、
各逆コネクタは、ソケット・コネクタである、請求項４３に記載のアレイ。
【請求項４９】
前記ハウジング内部に配設された上面を有する印刷回路基板と、
前記印刷回路基板の前記上面に動作可能に接続された複数の発光素子と、を更に備え、
前記ハウジング上部は、前記複数の発光素子の各々と位置合わせされたホールを有する、請求項３５に記載のアレイ。
【請求項５０】
前記印刷回路基板は、前記ハウジング内に配設された印刷回路基板ベース上に載置される、請求項４９に記載のアレイ。
【請求項５１】
少なくとも１つの発光素子は、ＬＥＤ、ＬＣＤ、又はＯＬＥＤである、請求項４９に記載のアレイ。
【請求項５２】
少なくとも１つの発光素子は、ＬＥＤである、請求項４９に記載のアレイ。
【請求項５３】
前記支持ワイヤ・ファスナは、支持ワイヤ・クランプである、請求項３５に記載のアレイ。
【請求項５４】
前記少なくとも１つのワイヤ支持チャネルの前記第１及び第２の端部に配設された支持ワイヤ・クランプを備える、請求項３５に記載のアレイ。
【発明の詳細な説明】
【技術分野】
【０００１】
（関連出願の相互参照）
[0001]  本願は、２０１３年５月１日出願のＭＯＤＵＬＡＲ  ＬＩＧＨＴ  ＥＭＩＴＴＩＮＧ  ＤＩＳＰＬＡＹＳ  ＡＮＤ  ＡＲＲＡＹＳ  ＯＦ  ＳＡＭＥという名称の米国特許出願第１３／８７４９１３号の利益を主張するものであり、その全体は参照により本明細書に組み込まれる。
【０００２】
[0002]  本発明は、機械分野及び電気分野に関する。具体的に言えば、モジュラ発光ディスプレイ並びにこうしたモジュラ発光ディスプレイのアレイに関する。
【背景技術】
【０００３】
[0003]  娯楽、建築、及び広告の目的のためのディスプレイは、一般に、平らなパネル上に載置された発光ダイオード（「ＬＥＤ」）などの、多数の発光素子から構成されてきた。発光素子は、選択的にオン及びオフを切り替え、情報目的及び美的目的の両方でパターン、グラフィクス、及びビデオ・ディスプレイを作成することができる。これらのディスプレイを、特定のイベント用に適切な位置にアセンブルされたタイル又は大型パネルとして構成することが良く知られている。
【０００４】
[0004]  コンサート又は展示会などの特定イベントでは、容易に構成可能であり、容易に除去可能な、例えばイベントの開始時に容易に構成し、イベントが終了すると容易に除去した後、新しいイベントに容易に移送することが可能なディスプレイを使用するための要件が、しばしば存在する。
【０００５】
[0005]  大型パネル、或いはボルト留め又は互いに永続的に固定された一連の固形タイルとして構成された、ディスプレイ装置は、こうしたイベントで使用することが非常に困難な場合がある。こうしたディスプレイは典型的には大型で重く、構成及び除去のためには多くの支持機械及び時間並びにイベントの合間の保管スペースが必要である。例えば、Ｌｕｔｚに対して発行された米国特許第６７０４９８９号で開示されたような電子信号ディスプレイ・システムは、リフティング・トラスを用いて個々の表示セクションを格納ケースから持ち上げた後、表示のために適切に接合し積み重ねる必要がある。
【０００６】
[0006]  こうしたイベントに使用されるディスプレイ・システムに関する別の要件は、複数のサイズ及び形状に対して容易かつ即時に構成可能なことであり、それによってシステムを異なる設置及び運搬上の制約に適合させることができる。しかしながら、ＬＥＤタイル・システムは一般に、フレーム及び地盤支持構造を必要とする。例えば光タイル・システムは、しばしば、何らかの金属フレームに取り付けなければならない押し出しアルミニウム・ハウジングを使用する。その後、かなり大型のＬＥＤタイル・システムを作成する場合、これらのフレームは装備システムを使用するために外部構造によって地盤支持される可能性がある。したがって、これらのシステムは一般に、追加のコストを発生させ、透明で軽量のウォール・システムを作成するという目標に不利に作用する。
【発明の概要】
【発明が解決しようとする課題】
【０００７】
[0007]  したがって、容易にイベント時に構成し、イベントの現場から除去すること、並びにイベントの合間に便利に保管することが可能な発光ディスプレイが、明らかに必要である。更に、複数のサイズ及び形状に対して容易かつ即時に構成可能なモジュラ発光ディスプレイも、明らかに必要である。
【課題を解決するための手段】
【０００８】
[0008]  今では、これら及び関係する必要性を提供する発光ディスプレイが発見されてきている。本発明のいくつかの態様において、モジュラ発光ディスプレイは、下部、上部、対向する側壁の第１のペア、及び対向する側壁の第２のペアを有する、ハウジングを備え、第１のペアの各々の側壁は第１のペアの他方の側壁とほぼ同じ長さを有し、第２のペアの各々の側壁は第２のペアの他方の側壁とほぼ同じ長さを有する。いくつかの実施形態において、ハウジングはほぼ正方形又は長方形の断面を有する。いくつかの実施形態において、モジュラ発光ディスプレイはカバーを有するシェルを備え、いくつかの実施形態において、カバーは取り外し可能である。
【０００９】
[0009]  いくつかの態様において、ハウジングは、側壁の第２のペアのうちの一方の側壁内に少なくとも１つの第１の支持ワイヤ開口部、及び側壁の第２のペアのうちの他方の側壁内に少なくとも１つの第２の支持ワイヤ開口部を含み、少なくとも１つの第１の支持ワイヤ開口部は、少なくとも１つの第２の支持ワイヤ開口部と位置合わせされる。更に、いくつかの態様において、モジュラ発光ディスプレイは、第１及び第２の支持ワイヤ開口部の複数のペアを含み、第１の支持ワイヤ開口部は側壁の第２のペアの一方の側壁内にあり、第２の支持ワイヤ開口部は側壁の第２のペアの他方の側壁内にあって、各ペアの第１の支持ワイヤ開口部は各ペアの第２の支持ワイヤ開口部と位置合わせされる。
【００１０】
[0010]  いくつかの態様において、モジュラ発光ディスプレイは、ハウジング内部に配設され、少なくとも１つの第１の支持ワイヤ開口部と位置合わせされた、少なくとも１つの支持ワイヤ・ファスナを含む。更にいくつかの態様において、モジュラ発光ディスプレイは、ハウジング内部に配設された複数の支持ワイヤ・ファスナを更に含み、各支持ワイヤ・ファスナは支持ワイヤ開口部と位置合わせされる。いくつかの実施形態において、支持ワイヤ・ファスナは支持ワイヤ・クランプである。
【００１１】
[0011]  本発明のいくつかの態様において、ハウジングは、側部の第１のペアのうちの１つの側部から外側に延在する少なくとも１つのコネクタを含む。更にいくつかの態様において、モジュラ発光ディスプレイは、側部の第１のペアのうちの他方の側部から外側に延在する少なくとも１つの逆コネクタを更に含み、少なくとも１つのコネクタ及び少なくとも１つの逆コネクタは対向する側部の第２のペアから同じ距離に配置される。いくつかの態様において、ハウジングは、側部の第１のペアのうちの１つの側部から外側に延在する複数のコネクタを含み、複数のコネクタは１つの側部に沿って互いに間隔を置いて配置され、同じ数の逆コネクタが側部の第１のペアのうちの他方の側部から外側に延在し、各コネクタは対応する逆コネクタを有し、各コネクタ及び対応する逆コネクタは対向する側部の第２のペアから等しい距離を置いて配置される。いくつかの実施形態において、各コネクタはボール・コネクタであり、各逆コネクタはソケット・コネクタである。
【００１２】
[0012]  いくつかの態様において、モジュラ発光ディスプレイは、対向する側壁の第２のペアのうちの１つの側壁から、側壁の第２のペアのうちの対向する側壁へと延在する、少なくとも１つの支持ワイヤ・チャネルを更に備え、少なくとも１つの支持ワイヤ・チャネルは第１の端部及び第２の端部を有し、第１の端部は少なくとも１つの第１の支持ワイヤ開口部で終端し、第２の端部は少なくとも１つの第２の支持ワイヤ開口部で終端する。更にいくつかの態様において、モジュラ発光ディスプレイは複数の支持ワイヤ・チャネルを更に備え、各支持ワイヤ・チャネルは、支持開口部のペアのうちの第１の支持ワイヤ開口部のうちの１つから、支持ワイヤ開口部のペアのうちの第２の支持ワイヤ開口部へと延在する。いくつかの実施形態において、少なくとも１つの支持ワイヤ・ファスナは少なくとも１つの支持ワイヤ・チャネル内に配設され、いくつかの実施形態において、支持ワイヤ・ファスナのうちの少なくとも１つは各支持ワイヤ・チャネル内に配設される。
【００１３】
[0013]  いくつかの態様において、モジュラ発光ディスプレイは、対向する側壁の第２のペアのうちの１つの側壁から側壁の第２のペアのうちの対向する側壁へと延在する、少なくとも１つのケーブル・チャネルを更に備え、少なくとも１つのケーブル・チャネルは第１の端部及び第２の端部を有し、第１の端部は第１のケーブル開口部で終端し、第２の端部は第２のケーブル開口部で終端する。
【００１４】
[0014]  更にいくつかの態様において、モジュラ発光ディスプレイは、ハウジング内部に配設された上面を有する印刷回路基板と、印刷回路基板の上面に動作可能に接続された複数の発光素子と、を備え、ハウジング上部は、複数の発光素子の各々と位置合わせされたホールを有する。いくつかの実施形態において、印刷回路基板は、ハウジング内に配設された印刷回路基板ベース上に載置される。更にいくつかの実施形態において、少なくとも１つの発光素子はＬＥＤ、ＬＣＤ、又はＯＬＥＤである。
【００１５】
[0015]  本発明の態様において、アレイは少なくとも２つの隣接する発光ディスプレイから形成される。各発光ディスプレイは、下部、上部、対向する側壁の第１のペア、及び対向する側壁の第２のペアを有する、ハウジングを備え、第１のペアの各々の側壁は第１のペアの他方の側壁とほぼ同じ長さを有し、第２のペアの各々の側壁は第２のペアの他方の側壁とほぼ同じ長さを有する。
【００１６】
[0016]  態様において、各モジュラ発光ディスプレイは、側壁の第２のペアのうちの一方の側壁内に少なくとも１つの第１の支持ワイヤ開口部、及び側壁の第２のペアのうちの他方の側壁内に少なくとも１つの第２の支持ワイヤ開口部を含み、少なくとも１つの第１の支持ワイヤ開口部は、少なくとも１つの第２の支持ワイヤ開口部と位置合わせされる。
【００１７】
[0017]  別の態様において、少なくとも１つの支持ワイヤは、各発光ディスプレイ内の少なくとも１つの第１の支持ワイヤ開口部及び少なくとも第２のワイヤ開口部を介して延在し、少なくとも１つの支持ワイヤは隣接する発光ディスプレイを固定する。更に一態様において、発光ディスプレイは、折り畳まれた位置と開いた位置との間で移動可能である。
【００１８】
[0018]  添付の図面は、本明細書と併せて例示の実施形態を示し、説明と併せてこれらの実施形態の原理を説明する働きをする。
【図面の簡単な説明】
【００１９】
【図１】[0019]本発明の一態様に従った、モジュラ発光ディスプレイを示す分解正面斜視図である。
【図２】[0020]図１に示されたモジュラ発光ディスプレイに関するハウジング・シェル及び関係する構成要素を示す正面図である。
【図３】[0021]図２に示されたハウジング・シェル及び関係する構成要素を示す第１の側面図である。
【図４Ａ】[0022]図２に示されたハウジング・シェル及び関係する構成要素を示す第２の側面図である。
【図４Ｂ】[0023]図２に示されたハウジング・シェル及び関係する構成要素を示す第３の側面図である。
【図５】[0024]図１に示されたモジュラ発光ディスプレイを示す、独立側面図である。
【図６Ａ】[0025]本発明の一態様に従った、折り畳まれた位置での１０のモジュラ発光ディスプレイのアレイを示す正面平面図である。
【図６Ｂ】[0026]部分的に伸展された位置での、図６Ａに示された１０のモジュラ発光ディスプレイのアレイを示す正面平面図である。
【図６Ｃ】[0027]完全に伸展された位置での、図６Ａに示された１０のモジュラ発光ディスプレイのアレイを示す正面平面図である。
【図７】[0028]本発明の別の態様に従った、４つのモジュラ発光ディスプレイのアレイを示す正面平面図である。
【図８】[0029]２つのモジュラ発光ディスプレイのアレイの一部を示す背面斜視図である。
【図９】[0030]図８に示された２つのモジュラ発光ディスプレイのアレイの一部を示す背面平面図である。
【発明を実施するための形態】
【００２０】
[0031]  本発明の特定の実施形態を、その原理及び動作を例示するために以下で詳細に説明する。しかしながら様々な修正が可能であり、本発明の範囲は、以下で説明される例示的実施形態に限定されるものではない。
【００２１】
[0032]  図１には、本発明の一態様に従った、モジュラ発光ディスプレイ１１の分解正面斜視図が示されている。図１に示された実施形態は、下部、上部、対向する側部の第１のペア、及び対向する側部の第２のペアを有する、ハウジングを含む。ハウジングは、正方形又は長方形の断面を含む、多角形の断面などの任意の好適な断面を有することが可能である。図１に示される代表的な実施形態において、ハウジングはほぼ正方形の断面を有する。いくつかの実施形態において、ハウジングは、約２インチ（約５．０８ｃｍ）から約１２インチ（約３０．４８ｃｍ）掛ける約２インチから約１２インチの断面、いくつかの実施形態では約３インチ（約７．６２ｃｍ）から約９インチ（約２２．８６ｃｍ）掛ける約３インチから約９インチ、及びいくつかの実施形態では約４インチ（約１０．１６ｃｍ）から約６インチ（約１５．２４ｃｍ）掛ける約４インチから約６インチの断面を有する。  
【００２２】
[0033]  図１に示される代表的な実施形態において、ハウジングはシェル１２及びカバー１６から形成され、印刷回路基板（「ＰＣＢ」）１４がハウジング内に配設される。いくつかの態様において、ＰＣＢ基板はハウジング内に配設されたＰＣＢベース１８上に載置される。シェル、カバー、及びＰＣＢベースは任意の好適な材料から製造される。いくつかの実施形態において、それらはアクリロニトリル・ブタジエン・スチレン、ポリカーボネート、又はポリアミドなどの、エンジニアリング・プラスチックから製造される。
【００２３】
[0034]  例えば図２のシェル１２及び関係する構成要素の正面図に見られるように、シェルは下部２２、対向する側壁の第１のペア２４ａ及び２４ｂ、並びに対向する側壁の第２のペア２６ａ及び２６ｂを有する。第１のペアの側壁の各々は、第１のペアの他方の側壁とほぼ同じ長さを有する。更に、第２のペアの側壁の各々は、第２のペアの他方の側壁とほぼ同じ長さを有する。
【００２４】
[0035]  開口部側壁３０を有する複数の開口部２８が、シェル１２の下部に形成される。開口部並びに側壁２４ａ及び２４ｂは、側壁２６ａから側壁２６ｂへと延在する複数のチャネルを画定する。図１及び図２に示される代表的な実施形態において、９つの等しい間隔で配置された側部開口部、並びにハウジング・シェル側壁２４ａ及び２４ｂは、４つの等しい間隔で配置されたチャネル３４ａ〜ｄを作成する。
【００２５】
[0036]  加えて、第１の側面図である図３、第２の側面図である図４Ａ、及び第３の側面図である図４Ｂに進むと、いくつかの態様において、少なくとも１つのコネクタ３６が側壁２４ａから外側に延在する一方で、少なくとも１つの逆コネクタ３７が側壁２４ｂから外側に延在する。図１〜図７に示された代表的な実施形態において、４つのコネクタは側壁２４ａから外側に延在し、４つの対応する逆コネクタは側壁２４ｂから外側に延在する。コネクタ間の間隔は逆コネクタ間の間隔と同じであり、逆コネクタの各々は、図６Ａ〜図６Ｃ及び図７に示されるように、隣接するディスプレイ上の対応するコネクタと噛み合うように構成される。本発明の明白な利点は、コネクタが隣接するパネルを接続するのみならず、隣接するパネルを、噛み合わされるコネクタの長さに対応する所定の距離だけ互いに間隔を置いて配置するようにも働くことである。
【００２６】
[0037]  本発明の一態様において、コネクタ３６は、ソケット・コネクタ３７と噛み合うように構成されたボール・コネクタである。図１〜図４Ｂに示された代表的な実施形態において、ボール・コネクタはその遠位端に切頭ボール４０を有するくさび形ベース３８を備え、逆コネクタ３７はその遠位端にソケット４６を有するくさび形ベース４４を備える。いくつかの実施形態において、ボールの表面は、ソケット内のボールの動きを容易にするためにテフロン（登録商標）・コーティングなどのコーティング４８を含む。
【００２７】
[0038]  図２に見られるように、支持ワイヤのペア５０は、それぞれほぼ線形の支持ワイヤ・チャネル３４ａ及び３４ｄを介して延在し、それぞれチャネル３４ａ及び３４ｄを終端させる対向する側壁２６ａ及び２６ｂの一部の端部で、ノッチ５１を通過する（図３で最も良く示されている）。代表的な支持ワイヤは、金属ワイヤ、ストランド、ケーブル、ロープなどを含む。
【００２８】
[0039]  本発明のいくつかの態様において、支持ワイヤは、支持ワイヤ・ファスナを使用してハウジング１１に取り付けられる。図２及び図５に示される代表的な実施形態において、支持ワイヤは、チャネル３４ａ及び３４ｄの各端部に配置された４つのワイヤ・クランプ５２（図２に示される３つのクランプの部分）を用いて、ハウジングに固定される。更に図５を参照すると、各クランプは下部保持板５４及び上部保持板５６から形成される。各保持板はそれ自体でねじ留めし、ハウジング・シェル内のボア５８に取り付けられる。
【００２９】
[0040]  本発明の一態様において、電力及びデータ・ケーブル６０は、それぞれケーブル・チャネル３４ｂ及び３４ｃを介して延在し、それぞれチャネル３４ｂ及び３４ｃを終端させる対向する側壁２６ａ及び２６ｂの一部の端部で、ノッチ６１を通過する（図３で最も良く示されている）。図２に見られるように、各ケーブルは、対向するノッチ６４のペアを含む少なくとも１つの接続部６２を有する。対向するノッチは、ノッチ６１、及び印刷回路基板ベース１８内のノッチ６１と位置合わせされたノッチ６８（図１）に合うように、寸法が決定される。
【００３０】
[0041]  本発明の態様において、ＰＣＢ１４は上面７０を有する。ＰＣＢの上面に動作可能に接続されるのが、複数の発光素子２０である。代表的な発光素子は、ＬＥＤ、ＬＣＤ、ＯＬＥＤなどを含む。いくつかの実施形態では、１から１２５０個のＬＥＤからなるアレイがＰＣＢの上面上に形成されるが、いくつかの実施形態では９から５００個のＬＥＤからなるアレイが上面上に形成され、いくつかの実施形態では１６から２５０個のＬＥＤからなるアレイが上面上に形成される。各々が発光素子のうちの１つと位置合わせされた複数のホール７４が、カバー内に形成される。
【００３１】
[0042]  ハウジング１１の構成要素は、任意の好適な方法を使用して互いに固定することができる。いくつかの態様において、カバー１６は、ＰＣＢ１４に容易にアクセスできるように、シェル１２に取り外し可能に固定される。図１に示される代表的な実施形態において、カバー１６は、下面１１０、上面１１２、対向する側部の第１のペア１１４ａ及び１１４ｂ、並びに対向する側部の第２のペア１１６ａ及び１１６ｂを含む。複数の取り付けかかり１２０が、対向する側部の各々に沿って下面から下方に延在する。かかりは、それぞれＰＣＢ及びＰＣＢベース内の位置合わせされたノッチ１２２及び１２４を通過し、カバーがベースに固定される時に、ベース１２の対向する側部２２ａ、２２ｂ、並びに２４ａ及び２６ｂから内側に延在する位置合わせされたフランジ１２６によって係合される。
【００３２】
[0043]  図６Ａ〜図６Ｃには、モジュラ発光ディスプレイ・アレイ７６がモジュラ発光ディスプレイ１１の２×５のアレイを備える、本発明の態様が示されている。しかしながら本発明の別の明白な利点は、垂直及び水平の両方向におけるディスプレイの数を特定の適用例の必要性に合わせてユーザが変更できることである。
【００３３】
[0044]  モジュラ発光ディスプレイは、複数の連続ワイヤ７８、すなわち、アレイの垂直列内の各々のディスプレイを介して延在しそれらを支持する単一ワイヤによって、垂直方向に互いに接続される。図６Ａ〜図６Ｃに示される特定の実施形態では、各ディスプレイを支持するために２本のワイヤが使用されている。しかしながら他の実施形態では、１本以上の連続ワイヤを使用することができる。ディスプレイは、第１のモジュラ発光ディスプレイの側部２４ａ上のコネクタ３６のボール４０と、隣接するモジュラ発光ディスプレイの側部２７ｂ上のコネクタ３７のソケット４６と、を噛み合わせることによって、水平方向に互いに接続される。図６Ａ〜６Ｃに示される特定の実施形態では、各ディスプレイを接続するために、４つのコネクタ及び４つの噛み合ったコネクタが使用されている。しかしながら他の実施形態では、１つ以上のコネクタ及び１つ以上の逆コネクタが使用可能である。
【００３４】
[0045]  隣接するディスプレイ１１間で延在する各ワイヤ７８及び各ケーブル６０の長さは、同じである。これは、図６Ａに示される折り畳まれたジグザグ構成において、ディスプレイがそれ自体の上に折り返されることができるだけの十分な長さである。図６Ｂには、部分的に伸展された位置でのアレイが示されており、図６Ｃには完全に伸展された位置でのアレイが示されている。
【００３５】
[0046]  本発明の別の態様が図７〜図９に示されている。図７には、ワイヤ・コネクタ８４によって互いに取り付けられた複数のワイヤ８２によって垂直方向に互いに接続された、モジュラ発光ディスプレイ１１の２×２のアレイを備える、モジュラ発光ディスプレイ・アセンブリ８０の代表的な実施形態が示されている。
【００３６】
[0047]  ワイヤ・コネクタ８４の細部は、図８及び図９で最も良く示されている。各ワイヤ８２は、シャンク８８及びヘッド９０を有するエンド・キャップ８６内で終端する。各ワイヤ・コネクタは、上部及び下部を有するボディ９１を含む。エンド・キャップのシャンクを受け取るように構成された縦長エンド・キャップ開口部９２のペアは、それぞれ上部及び下部からボディ内へと延在する。エンド・キャップがワイヤ・コネクタに挿入された時に、各エンド・キャップ・ヘッドが接触するように構成されたキャップ接触面９４のペアが、各エンド・キャップ開口部の端部のコネクタ・ボディ内に形成される。
【００３７】
[0048]  いくつかの態様において、エンド・キャップの上部を覆ってエンド・カバー９６が固定される。図９に示される代表的な実施形態において、エンド・カバーは、コネクタ・ボディの上部で補助のねじ山と噛み合うように構成されたねじ山によって、エンド・キャップに取り外し可能に固定される。
【００３８】
[0049]  更にいくつかの態様において、各ワイヤの一部を取り囲む圧縮ばね１０２が、モジュラ発光ディスプレイの側部とエンド・カバーの上部との間に配設される。
【００３９】
[0050]  上記明細書において、特定の例示的実施形態を参照しながら本発明の様々な態様を説明してきた。しかしながら、本発明の範囲を逸脱することなく様々な修正及び変更が可能である。本明細書及び図面は制限的ではなく例示的であり、修正が本発明の範囲内に含められることが意図されている。したがって本発明の範囲は、単に説明された例によってではなく、特許請求の範囲及びそれらの法的な等価物によって決定されるべきである。前述の特定の実施形態に関して、任意の特典、利点、問題に対する解決策、或いは、任意の特定の特典、利点、又は解決策を実行させるか又はより明白とすることが可能な任意の要素は、いずれか又はすべての特許請求の範囲の重要な、必要な、又は不可欠な特徴又は構成要素として解釈されるものではない。
【００４０】
[0051]  本明細書で使用される場合、用語「ｃｏｍｐｒｉｓｅ」、「ｃｏｍｐｒｉｓｅｓ」、「ｃｏｍｐｒｉｓｉｎｇ」（備える）、「ｈａｖｉｎｇ」（有する）、「ｉｎｃｌｕｄｉｎｇ」、「ｉｎｃｌｕｄｅｓ」（含む）、又はそれらの任意の変形は、要素のリストを備えるプロセス、方法、製品、構造、又は装置が、示されたそれらの要素のみを含むのではなく、明示的に列挙されていないか、或いはこうしたプロセス、方法、製品、構造、又は装置に固有ではない、他の要素も含み得るように、非排他的包含を指すことが意図されている。具体的に示されていないものに加えて、本発明の実施において使用される前述の構造、配置構成、適用、比率、要素、材料、又は構成要素の、他の組み合わせ及び／又は修正は、同等の一般的な原理を逸脱することなく、変形可能であるか、或いは別の方法で特定の環境、製造仕様、設計パラメータ、又は他の動作要件に特に適合可能である。
【図１】
0006047262.tif 000002
【図２】
0006047262.tif 000003
【図３】
0006047262.tif 000004
【図４Ａ】
0006047262.tif 000005
【図４Ｂ】
0006047262.tif 000006
【図５】
0006047262.tif 000007
【図６Ａ】
0006047262.tif 000008
【図６Ｂ】
0006047262.tif 000009
【図６Ｃ】
0006047262.tif 000010
【図７】
0006047262.tif 000011
【図８】
0006047262.tif 000012
【図９】
0006047262.tif 000013